(57)【特許請求の範囲】
【請求項１】
鉛直な回動軸の回りを回動して本体部の開口を開閉する扉を制御するものであって、扉が装着される本体部の開口付近における天井板及び／又は底板において、その開口縁に沿って水平方向に移動可能に案内された細長い摺接ブロックと、この摺接ブロックを扉内面の枢支側端縁付近に連結する水平な連結リンクを設け、この連結リンクの一端を摺接ブロックに、他端を扉内面の枢支側端縁付近に、夫々鉛直な回動軸の回り対偶を介して結合し、以て、扉の開閉に連動して摺接ブロックが本体部の開口縁に沿って水平に往復動できるようにし、一方、この摺接ブロックの移動軌跡の外側における近傍に、水平面への投影形状が略細長い矩形の制動ブロックを設け、この制動ブロックの扉の枢支側端縁から遠い方の内端を、本体部に、鉛直な回動軸の回りを回動可能に枢支すると共に、外端が摺接ブロックの移動軌跡に干渉する方向に付勢し、他方、制動ブロックの摺接ブロックに対向する側面を摩擦面として指定し、摺接ブロックが扉の枢支側端縁方向に移動し、制動ブロックの外端部をその付勢力に抗して外方に押動して摺接ブロックの側面と制動ブロックの摩擦面とが相互に対向する常態において、両面が面接触をするように、制動ブロックの摩擦面の上記鉛直な回動軸からの距離を設定し、また、この摩擦面に連接して、枢支端側に傾斜端縁を形成し、以て摺接ブロックとの係合を円滑にするようにしたことを特徴とする扉の開閉制御装置。
【発明の詳細な説明】
【０００１】
【発明の属する技術分野】
この発明は、家具や郵便受箱の蓋、或いは厨房器具の扉等、垂直な回動軸を有する蝶番を介して本体部に装着される扉（以下単に扉という）の新規な開閉制御装置に係り、特に扉の閉止状態を安定に保つことができると共に、扉を開いたとき、その開角度を任意の角度位置に、かつ安定に保つことができる扉の開閉制御装置に関する。
【０００２】
【従来の技術】
従来知られている扉の開閉制御装置として、例えば建物の玄関扉等に使用されている油圧式のクローザが挙げられる。
【０００３】
クローザは扉を開いてから手を離すと自動的に扉を閉じることを目的とし、安定した状態で扉を閉じておくことはできても、任意の開き角度に保持することはできず、通常、最大開角度においてのみロックできるようになっている。
【０００４】
しかしながら、上記した油圧式のドアクローザは、家具等に使用するには装置自体が複雑で高価であり、しかも寸法が大きいので、例えば郵便受箱に装着することは不可能である。
【０００５】
一方、例えば冷蔵庫等においては、扉を閉じる位置にまで近ずけると、磁力により扉が本体フレームに引き付けられて閉じられ、この状態で扉が安定する構造となっているが、扉を任意の開き角度に保持するようにはなっていない。
【０００６】
また、磁力は磁石と磁性体間の距離の二乗に反比例するので、扉と本体フレーム間の距離が近かずく程強大となり、閉じたときに騒音を発するという問題もある。
【０００７】
つまり、上記したように、従来の扉の扉開閉制御装置には、扉の閉止状態を安定に保つ機能はあっても、扉を任意の開き角度に安定した状態で保持する機構は具備されていない。
【０００８】
【発明が解決しようとする課題】
しかしながら、高所にある収納家具や押し入れ等に物を出し入れする場合等は、脚立等に載って作業をせねばならず、開いた扉が振動や家具の立て付けの不具合によって開度が変わると、作業者の頭等に当たって転倒の危険を及ぼす恐れがある。
【０００９】
また、屋外に設置される物置の場合には、開いた扉が風に煽られて動いたり閉じたりする恐れがあって危険であり、最近の厳しい住宅事情で物置が高所に設置されることが多いことから、特に扉を任意の開き角度に安定して保持する扉の開閉制御装置が必要である。
【００１０】
この発明は、上記した事情に鑑み、扉の閉止状態を安定に保つことは勿論、扉を任意の開き角度に安定して保持できる、簡単で安価、かつ騒音も少ない構造の開閉制御装置を提供することを目的としている。
【００１１】
【課題を解決するための手段】
上記の目的を達成するため、この発明は、鉛直な回動軸の回りを回動して本体部の開口を開閉する扉を制御するものであって、扉が装着される本体部の開口付近における天井板及び／又は底板において、その開口縁に沿って水平方向に移動可能に案内された細長い摺接ブロックと、この摺接ブロックを扉内面の枢支側端縁付近に連結する水平な連結リンクを設け、この連結リンクの一端を摺接ブロックに、他端を扉内面の枢支側端縁付近に、夫々鉛直な回動軸の回り対偶を介して結合し、以て、扉の開閉に連動して摺接ブロックが本体部の開口縁に沿って水平に往復動できるようにし、一方、この摺接ブロックの移動軌跡の外側における近傍に、水平面への投影形状が略細長い矩形の制動ブロックを設け、この制動ブロックの扉の枢支側端縁から遠い方の内端を、本体部に、鉛直な回動軸の回りを回動可能に枢支すると共に、外端が摺接ブロックの移動軌跡に干渉する方向に付勢し、他方、制動ブロックの摺接ブロックに対向する側面を摩擦面として指定し、摺接ブロックが扉の枢支側端縁方向に移動し、制動ブロックの外端部をその付勢力に抗して外方に押動して摺接ブロックの側面と制動ブロックの摩擦面とが相互に対向する常態において、両面が面接触をするように、制動ブロックの摩擦面の上記鉛直な回動軸からの距離を設定し、また、この摩擦面に連接して、枢支端側に傾斜端縁を形成し、以て摺接ブロックとの係合を円滑にするようにしたことを特徴とする。
【００１２】
【実施例】
以下、図面に示す実施例に基づいて、この発明について説明する。
図１及び図２において符号１００は郵便受箱の本体部（以下単に本体部という）を示し、この本体部１００の前面１０１の上下端には扉ブラケット１０４が固定されて、これらブラケットに突設されたピン１０３により扉１０２が回動可能に枢支されており、前面１０１に形成された開口（図示せず）が開閉される。
【００１３】
図示の実施例では、本体部１００の開口付近における上面板１０５の下面、すなわち天井板にこの発明による扉の開閉制御装置１０が配設されており、扉の開閉及び回動を制御する。
【００１４】
扉の開閉制御装置１０はハウジング１１を有し、ハウジングは複数の止めネジ１０６によって本体部１００の天井板に固定される。
【００１５】
ハウジング１１は長尺の、例えば上面が開いた中空の箱から成り、左右の側面には夫々長方形の第１突出部１２及び三角形の第２突出部１３が形成されている。
【００１６】
また、ハウジング１１内には例えば本体部１００の開口に垂直な直線状の案内溝１４が形成されていて、例えば角柱状の摺接ブロック２０がこの案内溝に沿って前後動可能に収納されている。
【００１７】
この摺接ブロック２０の図２における下面の一端部には、下端にフランジを形成した第１ピン２１が植設され、この第１ピン２１の下端部はハウジング１１に形成された付番しないスリットを挿通して本体部１００内に臨んでいる。
【００１８】
そして、第１ピン２１の下端には円弧状の連結リンク２２の一端が回動可能に連結され、連結リンク２２の他端は扉１０２の枢支側端縁付近の内面に固定されたリンクブラケット１０７の第２ピン１０８に回動可能に連結されている。
【００１９】
上記した構成により、摺接ブロック２０は連結リンク２２を介して枢支側端縁付近における扉内面にリンク結合されることになり、扉１０２を開閉させることにより、摺動ブロック２０は連結リンク２２を介して案内溝１４中を水平方向に往復動する。
【００２０】
一方、第１突出部１２の内部には、ハウジング１１の底面において垂直に植設された枢支ピン３１によって、制動ブロック３０が回動可能に支承されている。
【００２１】
この制動ブロック３０は、横断面が例えばコ字形の長尺の部材で、その回動中心は、扉１０２から遠い方の一端、すなわち内端に近接して設定されている。
【００２２】
また、この制動ブロック３０の寸法形状及び摺接ブロック２０に対する関係位置は、図５に示すように、常態において、すなわち、両者が相互に側面を対向させている状態において、制動ブロック３０及び摺接ブロック２０が相互に平行であり、かつ、両者が対向する側面を面接触させることができるように設定されている。
【００２３】
そして、摺接ブロック２０の一方の側面２３に対向する制動ブロック３０の自由端側の側面には、制動ブロック３０の長手方向に平行な摩擦面３２が形成されている。
【００２４】
また、上記摩擦面３２より内方には、図３及び図４に示すように、長手方向に対して傾斜した傾針端縁３３が境界線３４を介して連接されている。
【００２５】
なお、上記摩擦面３２が摺接ブロック２０の側面と面接触し易いように、制動ブロック３０の枢支軸を遊動可能にしておくことが望ましい。
【００２６】
上記枢支ピン３１には捩りばね３５のコイル部が巻装され、捩りばね３５の一端はハウジングの第１突出部１２の内面に、他端は制動ブロック３０の内面の一端に夫々当接されており、図１、図５及び図６に示すように、制動ブロック３０をこれらの図において反時計方向に付勢している。
【００２７】
なお、捩りばね３５の一端が当接する第１突出部１２の内面には、例えばねじとナットとからなる弾力調整機構３６が設けられており、捩りばね３５の弾力を適切に調節できるようになっている。この弾力調整機構は周知であるから、更に詳細な説明は省略する。
【００２８】
上記のように構成されたこの発明の一実施例による扉の開閉制御装置は、図１に示す扉閉止時には、摺接ブロック２０は案内溝１４内において最も後退した位置（向かって左側）にある。
【００２９】
この状態において、制動ブロック３０は捩りばね３５の弾力により反時計方向のトルクを受け、制動ブロックの傾斜端縁３３は摺接ブロック２０のコーナ２４を弾圧している。
【００３０】
このとき、図４に示すように制動ブロック３０の摺接ブロックのコ―ナ２４に対する弾圧力をＦとすると、弾圧力Ｆは水平方向の分力Ｆ１と垂直方向の分力Ｆ２とに分解され、分力Ｆ１は摺接ブロック２０をより左方へ、すなわち内方に後退させるように作用する。
【００３１】
そのため、扉１０２は連結リンク２２を介して摺接ブロック２０に引張られて閉じる方向に付勢され、安定して閉じた状態に保持される。
【００３２】
なお、水平方向の分力Ｆ１は傾斜端縁３３の図４における鉛直線に対する傾斜角θのコサインに比例して変化するので、傾斜端縁３３の摩擦面３２に対する傾斜の度合いを変化させ、摩擦面３２の回動角度に対応する傾斜角θを任意に設定することにより、摺接ブロック２０の任意のストロークにおける分力Ｆ１を適切な値に設定することができる。
【００３３】
また、上記弾圧力Ｆの垂直方向の分力Ｆ２は案内孔１４の開口端縁を介してハウジング１１に坦持される。
【００３４】
一方、図１に示す扉閉止状態から手動により扉を開いていくと、図６に示すように、摺接ブロック２０は連結リンク２２を介して扉１０２に引かれ、図で右方に前進する。
【００３５】
この過程において、コーナ２４は捩りばね３５の弾力に抗して傾斜端縁３３を押動しながら制動ブロック３０を時計方向に回動させる。
【００３６】
更に扉を開いていくと、コーナ２４は境界線３４を超え、以降、摺接ブロックの側面２３が摩擦面３２と面接触するようになり、扉を最大角度に開いた状態では摺接ブロック２０は最も前進した位置となる（図５参照）。
【００３７】
上記過程において、図３に示すように、制動ブロックの摩擦面３２と摺接ブロックの側面２３との間には圧接力Ｐが生じ、この圧接力Ｐに摩擦係数μを乗じた摩擦力μＰが扉を開く時の抵抗力として作用する。
【００３８】
上記の摩擦力μＰは、摺接ブロックの側面２３が制動ブロックの摩擦面３２に対して反対側（左方向）に動くときにも同じ大きさで作用するので、図３の状態において、扉を任意の開き角度で止めた場合、摺接ブロック２０に摩擦力μＰ以上の外力を掛けない限り、扉は開、閉のどちら側にも動かない安定した状態に保持される。
【００３９】
一方、図５に示す扉が開かれた状態から扉を閉じていくと、摺接ブロック２０は連結リンク２２に押動されて本体部の内方に後退していき、コーナ２４は境界線３４を超えて傾斜端縁３３接する状態となる（図４参照）。
【００４０】
この状態では、前述したように傾斜端縁３３は水平方向の分力Ｆ１によって摺接ブロック２０を左方へ押動すると共に、連結リンク２２を介して扉を閉じるように作用する。
【００４１】
従って、この時点では、扉を閉じる手を離しても扉は自動的に時計方向に回動して閉じられ、遂には図１に示した扉閉止状態に至ってその状態が保持される。
【００４２】
なお、制動ブロックの摩擦面３２及び／または摺接ブロックの側面２３に物理的、化学的処理によって梨地面として摩擦係数を大きくしたり、或いは、これらの表面に布、皮革等、摩擦係数の大きい材料からなるシートを接着したりして、適切な摩擦係数を付与することができる。
【００４３】
【発明の効果】
以上の説明から明らかなように、この発明による扉の開閉制御装置は、扉をある程度以上開けると、扉に連結されて移動する摺接ブロックの側面と、制動ブロックの摩擦面とが摺接して摩擦力が生じるようにしたので、扉をある程度以上開いたときには、扉を閉じる方向、或いは開く方向の双方の外力に対して抵抗力を示し、扉の開角度を安定に保つことができる。
【００４４】
また、扉の開角度が小さいときには制動ブロックの傾斜端縁が摺接ブロックを内方に押動するように作用するので、扉を開いた状態からある程度以上閉じると、後は手を離しても自動的に閉じられるので使い勝手がよい。
【００４５】
更にまた、扉に制動力を与える摩擦面の面積が大きいので、制動力を大きく設定できるばかりでなく、摩耗が少なく扉の開閉制御装置としての耐久性が大きい。
【００４６】
また、高速で移動する部材を使用していないから、作動時騒音が発生することが無く、作動が静かである。
【００４７】
加えて、部品点数が少なく、構造が簡単なので、安価に製造することができるばかりでなく、油圧を使用していないので油漏れ等がなく、点検保守が不要である、等種々の効果を奏する。
【図面の簡単な説明】
【図１】この発明の扉の開閉制御装置を下側から見た平面図で閉扉状態を示す。
【図２】図１に示す扉の開閉装置の側面図。
【図３】摺接ブロックと制動ブロックの摺接状況を説明するための線図。
【図４】摺接ブロックと制動ブロックの傾斜端縁との圧接状況を説明するための線図。
【図５】図１と同様の扉の開閉装置の平面図で、開扉状態を示す。
【図６】図１と同様の扉の開閉装置の平面図で、扉の開角度が小さい場合を示す。
【符号の説明】
１０  開閉制御装置
１１  ハウジング
１４  案内溝
２０  摺接ブロック
２２  連結リンク
２３  側面
２４  コーナ
３０  制動ブロック
３２  摩擦面
３３  傾斜端縁
３５  捩りばね
１００  家具本体
１０２  扉
【図１】
0003874404.tif 000002
【図２】
0003874404.tif 000003
【図３】
0003874404.tif 000004
【図４】
0003874404.tif 000005
【図５】
0003874404.tif 000006
【図６】
0003874404.tif 000007